(57)【要約】【課題】網内移動局識別番号を発呼移動局に通知せずに、移動局間データ通信を可能にするための手段を提供する。【解決手段】移動局２は、モバイル網５に接続された転送サーバ６に、自局の網内移動局識別子と移動局２のユーザにより設定されたキーワードを登録するとともに、移動局２が保持している情報を入手希望している移動局１のユーザに対して公開する。移動局１のユーザは、移動局１の網内移動局識別子および前記通知された移動局２の公開キーワードを付して、転送サーバ６に対して情報取得要求を通知する。転送サーバ６は、受信キーワードに該当する移動局２に対して情報の送信依頼を行う。転送サーバ６から送信依頼を受けた移動局２は、自身の保持する情報を転送サーバ６へ送信する。転送サーバ６はキーワードを受信した移動局１に対して移動局２から受け取った情報を転送する。【選択図】図３
2009260825.tif 000002
【特許請求の範囲】
【請求項１】
情報提供移動局に保持されている情報を情報要求移動局がモバイル網に接続された転送サーバを介して入手するための移動局間通信方法であって、
前記情報提供移動局は、前記情報を提供するために公開したキーワードを、該情報提供移動局の移動局識別子と関連付けて前記転送サーバに送信し、該転送サーバは、受信した前記キーワードと前記移動局識別子を関連付けて登録し、前記情報要求移動局が、前記キーワードを前記転送サーバに送信して前記情報の入手要求を行ったとき、前記転送サーバが、受信した前記キーワードから前記移動局識別子を抽出し、該抽出した移動局識別子を有する情報提供移動局に対して前記情報の送信要求を行い、該送信要求を受けた前記情報提供移動局が、前記情報を前記転送サーバに送信し、前記転送サーバが、受信した前記情報を前記情報要求移動局に転送することを特徴とする移動局間通信方法。
【請求項２】
前記転送サーバは、前記情報要求移動局から前記キーワードを受信したとき、該キーワードから抽出した前記情報提供移動局の移動局識別子と前記受信した情報要求移動局の移動局識別子とを関連付けて登録し、前記情報提供移動局から前記情報を受信したとき、該受信した情報提供移動局の移動局識別子から前記情報を転送する情報要求移動局の移動局識別子を抽出することを特徴とする請求項１に記載の移動局間通信方法。
【請求項３】
前記転送サーバは、前記情報提供移動局から送信された前記キーワードが付された提供情報を保持し、前記情報要求移動局から受信した前記キーワードと同一のキーワードが付された提供情報が保持されているときには、該保持された提供情報を直接前記情報要求移動局に転送することを特徴とする請求項１または２に記載の移動局間通信方法。
【請求項４】
情報提供移動局に保持されている情報を情報要求移動局がモバイル網に接続された転送サーバを介して入手するための移動局間通信方式であって、
前記情報提供移動局は、前記情報を提供するために公開したキーワードを、該情報提供移動局の移動局識別子と関連付けて前記転送サーバに送信する手段と、前記転送サーバから前記情報の送信要求を受けて保持している前記情報を前記転送サーバに送信する手段を備え、
前記転送サーバは、前記情報提供移動局から受信した前記キーワードと前記移動局識別子を関連付けて登録する手段と、前記情報要求移動局から受信した前記キーワードから前記移動局識別子を抽出し、該抽出した移動局識別子を有する情報提供移動局に対して前記情報の送信要求を行う手段と、前記情報提供移動局から受信した前記情報を、前記キーワードを送信した情報要求移動局に転送する手段を備え、
前記情報要求移動局は、前記キーワードを前記転送サーバに送信して前記情報の入手要求を行う手段と、前記転送サーバから送信された前記情報を受信する手段を備えている、
ことを特徴とする移動局間通信方式。
【請求項５】
前記転送サーバは、前記情報要求移動局から前記キーワードを受信したとき、該キーワードから抽出した前記情報提供移動局の移動局識別子と前記受信した情報要求移動局の移動局識別子とを関連付けて登録する手段と、前記情報提供移動局から前記情報を受信したとき、該受信した情報提供移動局の移動局識別子から前記情報を転送する情報要求移動局の移動局識別子を抽出する手段を備えていることを特徴とする請求項４に記載の移動局間通信方式。
【請求項６】
前記転送サーバは、前記情報提供移動局から送信された前記キーワードが付された提供情報を保持する手段と、前記情報要求移動局から受信した前記キーワードと同一のキーワードが付された提供情報が保持されているときには、該保持された提供情報を直接前記情報要求移動局に転送する手段を備えていることを特徴とする請求項４または５に記載の移動局間通信方式。
【請求項７】
請求項４に記載の移動局間通信方式で用いられる転送サーバであって、
前記情報提供移動局から受信した前記キーワードと前記移動局識別子を関連付けて登録する手段と、前記情報要求移動局から受信した前記キーワードから前記移動局識別子を抽出し、該抽出した移動局識別子を有する情報提供移動局に対して前記情報の送信要求を行う手段と、前記情報提供移動局から受信した前記情報を、前記キーワードを送信した情報要求移動局に転送する手段を備えていることを特徴とする転送サーバ。
【請求項８】
前記情報要求移動局から前記キーワードを受信したとき、該キーワードから抽出した前記情報提供移動局の移動局識別子と前記受信した情報要求移動局の移動局識別子とを関連付けて登録する手段と、前記情報提供移動局から前記情報を受信したとき、該受信した情報提供移動局の移動局識別子から前記情報を転送する情報要求移動局の移動局識別子を抽出する手段を備えていることを特徴とする請求項７に記載の転送サーバ。
【請求項９】
前記情報提供移動局から送信された前記キーワードが付された提供情報を保持する手段と、前記情報要求移動局から受信した前記キーワードと同一のキーワードが付された提供情報が保持されているときには、該保持された提供情報を直接前記情報要求移動局に転送する手段を備えていることを特徴とする請求項７または８に記載の転送サーバ。
【請求項１０】
請求項４〜６の何れか１項に記載の移動局間通信方式で用いられる情報提供移動局であって、
前記情報を提供するために公開したキーワードを、該情報提供移動局の移動局識別子と関連付けて前記転送サーバに送信する手段と、前記転送サーバから前記情報の送信要求を受けて保持している前記情報を前記転送サーバに送信する手段を備ええていることを特徴とする情報提供移動局。
【請求項１１】
請求項４〜６の何れか１項に記載の移動局間通信方式で用いられる情報要求移動局であって、
前記キーワードを前記転送サーバに送信して前記情報の入手要求を行う手段と、前記転送サーバから送信された前記情報を受信する手段を備えていることを特徴とする情報要求移動局。
【発明の詳細な説明】
【技術分野】
【０００１】
本発明は、情報提供移動局が保持している情報を、モバイル網を介して情報要求移動局に送信するための技術に関する。
【背景技術】
【０００２】
モバイル通信において、情報提供移動局が保持している情報を、モバイル網を介して情報要求移動局に送信する場合には、発信側移動局が着信側移動局の網内移動局識別番号を知る必要があり、例えば、携帯電話をかける場合には、携帯電話網に対して通話相手の携帯電話番号を問い合わせる必要がある。
【０００３】
しかし、電話番号あるいはメールアドレスのような移動局の網内識別番号は、移動局を特定する個人情報であり、面識のない人物相手に容易に公開できるものではない。モバイル通信において、不特定多数が個人の移動局に対して情報取得をする場合、網内移動局識別子を不特定多数ユーザに対して通知することなく通信を行う技術が必要になる。
【発明の開示】
【発明が解決しようとする課題】
【０００４】
このように、ある特定のユーザが該ユーザの移動局に保持している情報を、不特定多数ユーザに提供する場合に、保持している情報を移動局の網内移動局識別子を相手に通知することなく相手ユーザの移動局へ伝送することができれば、網内移動局識別子を不特定多数ユーザに対して通知することなく通信を行うことが可能となる。
【０００５】
本発明の目的は、上述した課題を解決し、電話番号、メールアドレス等の網内移動局識別番号を発呼移動局に通知せずに、移動局間データ通信を可能にするための手段を提供することにある。
【課題を解決するための手段】
【０００６】
本発明の、情報提供移動局に保持されている情報を情報要求移動局がモバイル網に接続された転送サーバを介して入手するための移動局間通信方法は、前記情報提供移動局が、前記情報を提供するために公開したキーワードを、該情報提供移動局の移動局識別子と関連付けて前記転送サーバに送信し、該転送サーバは、受信した前記キーワードと前記移動局識別子を関連付けて登録し、前記情報要求移動局が、前記キーワードを前記転送サーバに送信して前記情報の入手要求を行ったとき、前記転送サーバが、受信した前記キーワードから前記移動局識別子を抽出し、該抽出した移動局識別子を有する情報提供移動局に対して前記情報の送信要求を行い、該送信要求を受けた前記情報提供移動局が、前記情報を前記転送サーバに送信し、前記転送サーバが、受信した前記情報を前記情報要求移動局に転送することを特徴とする。
【０００７】
本発明の、情報提供移動局に保持されている情報を情報要求移動局がモバイル網に接続された転送サーバを介して入手するための移動局間通信方式は、前記情報提供移動局が、前記情報を提供するために公開したキーワードを、該情報提供移動局の移動局識別子と関連付けて前記転送サーバに送信する手段と、前記転送サーバから前記情報の送信要求を受けて保持している前記情報を前記転送サーバに送信する手段を備え、前記転送サーバは、前記情報提供移動局から受信した前記キーワードと前記移動局識別子を関連付けて登録する手段と、前記情報要求移動局から受信した前記キーワードから前記移動局識別子を抽出し、該抽出した移動局識別子を有する情報提供移動局に対して前記情報の送信要求を行う手段と、前記情報提供移動局から受信した前記情報を、前記キーワードを送信した情報要求移動局に転送する手段を備え、前記情報要求移動局は、前記キーワードを前記転送サーバに送信して前記情報の入手要求を行う手段と、前記転送サーバから送信された前記情報を受信する手段を備えていることを特徴とする。
【０００８】
本発明の移動局間通信方式で用いられる転送サーバは、前記情報提供移動局から受信した前記キーワードと前記移動局識別子を関連付けて登録する手段と、前記情報要求移動局から受信した前記キーワードから前記移動局識別子を抽出し、該抽出した移動局識別子を有する情報提供移動局に対して前記情報の送信要求を行う手段と、前記情報提供移動局から受信した前記情報を、前記キーワードを送信した情報要求移動局に転送する手段を備えていることを特徴とする。
【０００９】
本発明の移動局間通信方式で用いられる情報提供移動局は、前記情報を提供するために公開したキーワードを、該情報提供移動局の移動局識別子と関連付けて前記転送サーバに送信する手段と、前記転送サーバから前記情報の送信要求を受けて保持している前記情報を前記転送サーバに送信する手段を備ええていることを特徴とする。
【００１０】
本発明の移動局間通信方式で用いられる情報要求移動局は、前記キーワードを前記転送サーバに送信して前記情報の入手要求を行う手段と、前記転送サーバから送信された前記情報を受信する手段を備えていることを特徴とする。
【発明の効果】
【００１１】
本発明においては、情報提供移動局が情報を提供するために公開したキーワードを転送サーバに登録し、情報要求移動局はこの公開されたキーワードにより転送サーバに対して情報入手要求を行うことにより、情報入手が可能となるので、情報提供者は自分の移動体識別子を情報取得者に知らせることなく情報提供を行うことができる。
【発明を実施するための最良の形態】
【００１２】
図１は、本発明の実施形態におけるモバイル網の概略を示すシステム構成図である。移動局１、２はモバイル網５に接続された携帯電話機等の移動局であり、それぞれ基地局３、４を介してモバイル通信を行う事ができる。転送サーバ６は、モバイル網５に接続された移動局間通信の仲介機能をもつサーバであり、本発明を実現するための装置である。
【００１３】
図２は、本発明の第１の実施形態における転送サーバ６の構成を示す機能ブロック図である。図２において、制御部６１は、モバイル網５に接続された移動局からの制御信号に応じて移動局情報操作部６２を動作させる機能、及びモバイル網５を介して移動局へ制御信号を送信する機能を持つ。移動局情報操作部６２は、移動局から提供された移動局識別子と提供情報のキーワードを移動局情報保持部６３へ登録・消去・読み出しする機能を持つ。
【００１４】
移動局情報保持部６３は、内部に移動局情報保存テーブルを保持しており、この移動局情報保存テーブルには、提供情報の「キーワード」、キーワードを登録した情報提供元を示す「登録移動局識別子」、およびキーワードにより情報の引き出し要求が行われたときに、情報引き出し元を示す「引出移動局識別子」を関連づけて保存できるようになっている。
【００１５】
図３は、本実施形態における移動局間通信を用いた情報転送により、移動局１を扱うユーザが移動局２に保持されている情報を取得する例を示す概略説明図である。
【００１６】
本実施形態においては、情報を提供する移動局２は、モバイル網５に接続された転送サーバ６に、自局の網内移動局識別子（携帯電話番号等）と移動局２のユーザにより自由に設定可能なキーワードを登録する。また、移動局２のユーザは、移動局２が保持している情報を入手希望している移動局１のユーザに対して、転送サーバ６に設定登録したキーワードを何らかの方法で通知することにより公開する。
【００１７】
このキーワード通知手段は、必ずしもモバイル通信を使用する必要はなく、例えば、インターネット掲示板に書き込むなどの不特定多数宛ての匿名通知など、移動局１のユーザが転送サーバ６に設定登録したキーワードでのみ移動局２にアクセス可能にして、移動局２の網内移動局識別子が移動局１のユーザからは分からないようにする任意の手段により実現可能である。
【００１８】
移動局１のユーザは、移動局２に保持されている情報を取得するために、移動局１の網内移動局識別子および前記通知された移動局２の公開キーワードを付して、転送サーバ６に対して情報取得要求を通知する。移動局１からキーワードが付された情報取得要求を受けた転送サーバ６は、このキーワードに該当する網内移動局識別子（移動局２）を検索し、該当移動局２に対して情報の送信依頼を行う。
【００１９】
転送サーバ６から送信依頼を受けた移動局２は、自身の保持する情報を転送サーバ６へ送信する。転送サーバ６は移動局２から受け取った情報を移動局１へ転送する。以上により、移動局１および移動局２のユーザは、互いに相手移動局の網内移動局識別情報を知ること無く、移動局２の保持する情報を移動局１へ送信することが可能となる。
【００２０】
図４は、本実施形態において情報提供移動局が転送サーバにキーワードを登録する際の処理フローを示す図であり、図５は、本実施形態において情報要求移動局が転送サーバから前記キーワードに対応する情報を取得する際の処理フローを示す図である。以下、図１〜図５を参照して、本実施形態の動作について説明する。
【００２１】
先ずキーワードを登録する手順においては、図４に示すように、ｂユーザは自身の持つ情報（提供情報）を公開したいと思い（１）、移動局２へ提供情報を入力する（２）。提供情報を入力された移動局２は移動局２内に提供情報を保存する（３）。次にｂユーザはこの提供情報に対するキーワードの選定を行う（４）。キーワードはｂユーザにより自由に決定する事ができる。ｂユーザは移動局２を操作して（５）、移動局２より転送サーバ６へキーワード登録要求を送信する（６）。キーワード登録要求には「キーワード」と「移動局２の移動局識別子」が付与される。
【００２２】
キーワード登録要求をモバイル網より受信した転送サーバ６では、制御部６１でキーワード登録処理と判断され、移動局２から受信したキーワードと移動局２の移動局識別子を移動局情報操作部６２へ渡す。移動局情報操作部６２では、受信したキーワードと移動局２の移動局識別子を関連付けて移動局情報保持部６３の移動局情報保存テーブルに保存し（７）、制御部６１へ保存が完了した事を通知する。
【００２３】
通知を受けた制御部６１は、移動局２へモバイル網５を使用して、キーワード登録応答を送信する。（８）。キーワード登録応答を受信した移動局２は、ｂユーザへキーワード登録が終了した事を通知する（９）。以上で登録手順は完了となる。登録手順完了後、ｂユーザは何らかの方法でａユーザへ転送サーバ６に登録したキーワードを通知する。
【００２４】
通知方法としては、例えば、転送サーバ６に、情報提供移動局により登録された提供情報の種類とキーワードの関係を示す提供情報表テーブルを設け、情報要求移動局が転送サーバ６にアクセスして提供情報表テーブルを参照し、取得を希望する情報のキーワードを指定して転送サーバ６に要求可能にする方法、あるいはインターネット掲示板に登録された提供情報の種類とキーワードの関係を示す提供情報を書き込む方法、不特定多数宛ての匿名通知などが考えられる。
【００２５】
次に、図５に示すように、ａユーザが、上記通知方法の何れかにより取得した情報提供移動局により登録されたｂユーザの提供情報を欲しいと思った場合（１）、移動局１を操作し（２）、キーワード検索要求を転送サーバ６へ送信する（３）。キーワード検索要求には取得を希望する提供情報の「キーワード」と自移動局１の「移動局識別子」が付与される。
【００２６】
移動局１よりモバイル網５を介してこのキーワード検索要求を受信した転送サーバ６は、制御部６１でキーワード検索処理と判断して、移動局情報操作部６２へキーワードと移動局１の移動局識別子を渡す。キーワードを渡された移動局情報操作部６２は移動局情報保持部６３からキーワードに括りついている移動局２の移動局識別子を検索して取り出し（４）、制御部６１へ渡す。同時に移動局情報操作部６２は、移動局１の移動局識別子とキーワードを括り付けて移動局情報保持部６３内の移動局情報保存テーブルへ保存する（５）。
【００２７】
次に、検索により得た移動局２の移動局識別子を通知された制御部６１は、移動局２に対してモバイル網５を経由してアップロード要求を送信し（６、７）、アップロード応答待ち状態となる。アップロード要求を受信した移動局２は、移動局２が保持している提供情報をアップロード応答として転送サーバ６へ送信する（８、９）。このアップロード応答には「提供情報」と「移動局２の移動局識別子」が付与される。
【００２８】
アップロード応答を移動局２から受信した転送サーバ６は、制御部６１にてアップロード応答と判断して、移動局情報操作部６２へ移動局２の移動局識別子を渡し、移動局情報保持部６３内の移動局情報保存テーブルを検索する（１０）ことにより移動局１の移動局識別子を取得する。その後、アップロード応答に付与されていた移動局２の提供情報を、取得した移動局識別子の移動局１へ送信する（１１、１２）。
【００２９】
提供情報を受信した移動局１はａユーザへ通知する（１３）。移動局１へ提供情報の送信後、転送サーバ６の制御部６１は、移動局情報操作部６２へ移動局１の移動局識別子を渡し、移動局情報保持部６３内の移動局情報保存テーブルに保存されている移動局１の移動局識別子を削除する（１４）。以上で情報引き出し手順は完了する。
【００３０】
本実施形態によれば、移動局からモバイル網を介して情報の公開を希望するユーザは、情報を第三者に提供する際に、モバイル網内に設けた情報中継機能によって、自移動局の移動局識別子を情報提供相手に通知する事なく送信することが可能となるので、情報の公開を希望するユーザの移動局識別子等の個人情報を保護することができる。
【００３１】
図６は、本発明の第２の実施形態における転送サーバの構成を示す機能ブロック図である。本実施形態の転送サーバ６は、図２に示す第１の実施形態における転送サーバに、ユーザデータ保持部６４を追加した点を除いて、第１の実施形態における転送サーバと同様の構成となっているので、ここでは、ユーザデータ保持部６４についてのみ説明し、その他の構成の詳細説明は省略する。
【００３２】
ユーザデータ保持部６４は、内部にユーザデータ保存テーブルを有しており、情報提供移動局２により提供される情報が、予め、情報提供移動局２により設定されたキーワードとともに転送サーバ６にアップロードされたとき、転送サーバ６は、アップロードされた提供情報を情報提供移動局２により設定されたキーワードと関連付けてこのユーザデータ保存テーブルに保持する。
【００３３】
そして、情報要求移動局１から、上記アップロードされた提供情報と関連付けられたキーワードによる情報要求を受けたときには、転送サーバ６は、情報提供移動局２へのアップロード要求処理を省略して、ユーザデータ保持部６４内のユーザデータ保存テーブルに保持されている提供情報を情報要求移動局１へ転送することによって、情報提供移動局２へのアップロード要求頻度を減らす事が可能になる。
【００３４】
図７は、本実施形態において情報要求移動局が転送サーバから前記キーワードに対応する情報を取得する際の処理フローを示す図である。なお、図７に示す処理フローは、処理（３）と処理（４）の間の実線で囲んだ枠内の処理を除いて、図５に示す処理フローと同様であるので、ここでは、実線で囲んだ枠内の処理を中心に説明する。
【００３５】
図７に示すように、ａユーザが、前記通知方法の何れかにより取得した情報提供移動局により登録されたｂユーザの提供情報を欲しいと思った場合（１）、移動局１を操作し（２）、キーワード検索要求を転送サーバ６へ送信する（３）。キーワード検索要求には取得を希望する提供情報の「キーワード」と自移動局１の「移動局識別子」が付与される。
【００３６】
移動局１よりモバイル網５を介してこのキーワード検索要求を受信した転送サーバ６は、制御部６１でキーワード検索処理と判断して、キーワードからユーザデータ保持部６４内のユーザデータ保存テーブルを検索し（Ａ）、このユーザデータ保存テーブルに受信したキーワードと関連付けされた提供情報が見つかった場合には、このユーザデータ保存テーブルに格納されている提供情報を、情報要求移動局１へ送信し（Ｂ）、移動局１は受信した提供情報を、ａユーザに表示する（Ｃ）。
【００３７】
（Ａ）の検索処理で受信したキーワードと関連付けられた提供情報が見つからなかった場合には、（４）以降の処理を行う。（４）以降の処理は図５に示す第１の実施形態における処理フローと同様であるので、ここでは、（４）以降の動作説明は省略する。
【図面の簡単な説明】
【００３８】
【図１】本発明の第１の実施形態におけるモバイル網の概略を示すシステム構成図である。
【図２】本実施形態における転送サーバの構成を示す機能ブロック図である。
【図３】本実施形態における移動局間通信を用いた情報転送示す説明図である。
【図４】本実施形態において情報提供移動局が転送サーバにキーワードを登録する際の処理フローを示す図である。
【図５】第１の本実施形態において情報要求移動局が転送サーバからキーワードに対応する情報を取得する際の処理フローを示す図である。
【図６】本発明の第２の実施形態における転送サーバの構成を示す機能ブロック図である。
【図７】第２の実施形態において情報要求移動局が転送サーバから前記キーワードに対応する情報を取得する際の処理フローを示す図である。
【符号の説明】
【００３９】
１  情報要求移動局
２  情報提供移動局
３、４  基地局
５  モバイル網
６  転送サーバ
６１  制御部
６２  移動局情報操作部
６３  移動局情報保持部
６４  ユーザデータ保持部
【図１】
2009260825.tif 000003
【図２】
2009260825.tif 000004
【図３】
2009260825.tif 000005
【図４】
2009260825.tif 000006
【図５】
2009260825.tif 000007
【図６】
2009260825.tif 000008
【図７】
2009260825.tif 000009